(57)【特許請求の範囲】
【請求項１】
着用者が腕を通すアームホールを上部に有するトップス本体と、
前記トップス本体の内側に配され、前記着用者の胴体を包む筒状のインナーと、
前記アームホールの下で前記トップス本体の内側に配置された脇裏打ち布とを具備し、
前記脇裏打ち布の上部は、少なくともアームホール下周部に取り付けられ、
前記インナーの上部は、前記アームホール下周部との間に所定の縫い付け間隔をおいて、前記脇裏打ち布に縫い付けられ、
前記インナーが前記トップス本体に前記脇裏打ち布を介して間接的に支持され、
前記インナーはインナー前身頃とインナー後身頃とを有し、
前記インナー前身頃と前記インナー後身頃とは側辺同士を縫着することで結合しており、
前記インナー前身頃は、着用者のバストを押さえることなくお腹のラインをフラットに整えるように１枚の布からなり、上端部が着用者のバスト下にフィットするようにバスト下部でカーブし、
前記インナー後身頃は、立体的な腰の形状に合わせたパターンを形成するように、着用者の背中からウエストにかけての部分に対応した上側の幅が広く下側の幅が狭い上布と、前記ウエストからヒップにかけての部分に対応した上側の幅が狭く下側の幅が広い下布の２枚の布からなることを特徴とするトップス。
【請求項２】
前記縫い付け間隔は、前記着用者の体の動きに追従する前記インナーの動きが前記トップス本体に及ぼす影響を、前記脇裏打ち布の介在により緩衝し得るように設定されることを特徴とする請求項１記載のトップス。
【請求項３】
前記インナーの上部は、前記脇裏打ち布と前記トップス本体との間に挿入されることを特徴とする請求項１又は２記載のトップス。
【発明の詳細な説明】
【技術分野】
【０００１】
本発明は、アンダーウェアとしてもアウターウェアとしても好適に使用することができるキャミソールなどのトップスに関する。
【背景技術】
【０００２】
近年、従来はインナーウェアとして使用されていたキャミソールをアウターウェアとして着こなすファッションが注目されている。アウターウェアとして使用されるキャミソールには、キャミソール本体の内側に筒状のインナーを配した２重構造のものがある（特許文献１参照）。
【０００３】
特許文献１では、インナーの上部の左右二箇所をキャミソール本体に縫着することで、インナーをキャミソール本体に取り付けている。特許文献１のインナーは、着用者のウエスト等を周囲から押さえ込む体型補正機能を有している。
【０００４】
また、キャミソールをアウターウェアとして着こなすとき、脇の下の発汗にどのようにして対処するかが問題となる。この点に関連して、特許文献２では、キャミソール及びタンクトップウェアにおいて、腕を通すためのアームホールの内部に下側から突出させるようにして汗取りパッドを設けている。特許文献３では、タンクトップウェアのアームホールよりも下側の部分の内側に汗取りパッドを設けている。
【０００５】
以上のように、脇の下の発汗に関し、特許文献２では、アームホールの内部に汗取りパッドをはみ出させるようにして設けている。この場合には、汗取りパッドが外側から見えてしまう。この点に関し、特許文献３では、タンクトップウェアのアームホールよりも下側の部分の内側に汗取りパッドを配している。これにより、汗取りパッドを外側から見えないようにしている。
【先行技術文献】
【特許文献】
【０００６】
【特許文献１】実用新案登録第３１４３２１２号公報
【特許文献２】特開２０１２−５２２６６号公報
【特許文献３】特開２０１１−７４５２５号公報
【発明の概要】
【発明が解決しようとする課題】
【０００７】
上述したとおり、アウターウェアとしての着用が想定されるキャミソールには、キャミソール本体とインナーとを備えた二重構造のものがあり、そのインナーには体型補正機能を有するものがある。このとき、体型補正機能を十分に発揮させるためには、インナーを着用者の胴部に、ある程度以上の強度でフィットさせることが必要である。
【０００８】
ところが、インナーが着用者の胴部に強くフィットしていると、着用者が体をひねったときなどに、インナーに引っ張られて、キャミソール本体に引き攣れなどが生じることがある。逆に、キャミソール本体がインナーを引っ張ることで、着用者の動作は制約される。
【０００９】
本発明は、上記したような従来技術の問題点を解決すべくなされたものであって、キャミソールなどのトップスにおいて、インナーに十分な体型補正機能を発揮させることができ、且つ着用者の体の動きによりトップス本体に引き攣れなどが生じるのを防止することができるトップスを提供することを目的としている。
【課題を解決するための手段】
【００１０】
請求項１に係る発明は、着用者が腕を通すアームホールを上部に有するトップス本体と、
前記トップス本体の内側に配され、前記着用者の胴体を包む筒状のインナーと、
前記アームホールの下で前記トップス本体の内側に配置された脇裏打ち布とを具備し、
前記脇裏打ち布の上部は、少なくともアームホール下周部に取り付けられ、
前記インナーの上部は、前記アームホール下周部との間に所定の縫い付け間隔をおいて、前記脇裏打ち布に縫い付けられ、
前記インナーが前記トップス本体に前記脇裏打ち布を介して間接的に支持されることを特徴とするトップスに関する。
【００１１】
請求項２に係る発明は、前記縫い付け間隔は、前記着用者の体の動きに追従する前記インナーの動きが前記トップス本体に及ぼす影響を、前記脇裏打ち布の介在により緩衝し得るように設定されることを特徴とする請求項１記載のトップス。
【００１２】
請求項３に係る発明は、前記インナーはインナー前身頃とインナー後身頃とを有し、
前記インナー前身頃は、１枚の布からなり、上端部が着用者のバスト下部に位置するようにカーブし、
前記インナー後身頃は、着用者の背中からウエストにかけての部分に対応する上布と、前記ウエストからヒップにかけての部分に対応する下布の２枚の布からなることを特徴とする請求項１又は２記載のトップス。
【００１３】
請求項４に係る発明は、前記インナーの上部は、前記脇裏打ち布と前記トップス本体との間に挿入されることを特徴とする請求項１乃至３いずれかに記載のトップス。
【発明の効果】
【００１４】
請求項１に係る発明によれば、インナーがトップス本体に脇裏打ち布を介して間接的に支持されることから、インナーが十分な体型補正機能を発揮するように着用者の体にフィットしていても、着用者の体の動きに追従するインナーからの影響がトップス本体に及ぶのを脇裏打ち布により緩衝することができる。これにより、インナーに十分な体型補正機能を発揮させ、且つトップス本体に引き攣れなどが発生するのを防止することができる。
以上により、トップスのファッション性の向上が期待できる。
【００１５】
請求項２に係る発明によれば、縫い付け間隔は、着用者の体の動きに追従するインナーの動きがトップス本体に及ぼす影響を、脇裏打ち布の介在により緩衝し得るように設定される。脇裏打ち布や、インナー及びトップス本体の素材にもよるが、通常サイズ（Ｓ〜Ｌ）のトップスであれば、縫い付け間隔は１．５〜４．０ｃｍであることが好ましく、２．０〜３．５ｃｍであることがより好ましい。
【００１６】
請求項３に係る発明によれば、インナー前身頃が着用者のバスト下部からお腹の部分に当接する１枚の布で構成されることで、着用者のお腹のラインをフラットに整えることが容易になる。
【００１７】
また、インナー後身頃が着用者の背中からウエストにかけての部分に対応する上布とウエストからヒップにかけての部分に対応する下布の２枚の布から構成されることで、上布を背中からウエストへの傾斜に添わせて、背中全体にフィットする形状に形成することが容易である。これにより、インナーのウエスト対応部を引き締めてずれを防止することができる。また、インナーの背中対応部の中央部が背中から浮き上がるのを防いで、安定したフィットを維持できる。したがって、インナーのずれを効果的に防止することができる。
【００１８】
一方、下布は、ウエスト対応部は引き締め、ヒップ対応部は着用者のヒップを締め付けすぎないように下側の幅を広い形状にしている。これにより、ヒップが平坦になるのが防止される。
【００１９】
以上により、ウエスト部のくびれを強調することができ、女性らしい体型を強調ないしは演出できるという効果が期待される。
【００２０】
請求項４に係る発明によれば、インナーの上部が脇裏打ち布とトップス本体との間に挿入されることで、脇裏打ち布を肌に直接触れるように配置することができる。これにより、脇裏打ち布に脇下の汗取り効果を十分に発揮させることができる。
【図面の簡単な説明】
【００２１】
【図１】本発明の一実施形態に係るトップスの全体像を示す斜視図である。
【図２】トップスの上部を斜め上から見た斜視図である。
【図３】トップスの脇部を内側から見た平面図である。
【図４】図３のＡ−Ａ線の断面図である。
【図５】トップスのインナーの正面図である。
【図６】トップスのインナーの背面図である。
【図７】トップスのインナーの側面図である。
【発明を実施するための形態】
【００２２】
以下、本発明の一実施形態に係るトップスについて、適宜図面を参照しながら説明する。
図１〜図３は本発明に係るトップスの要部を示す図であって、図１はトップスを斜め前から見た斜視図、図２はトップスの上部を斜め上から見た斜視図、図３はトップスの、着用者の脇に対応する部分を内側から見た平面図、図４は、図３のＡ−Ａ線断面図である。
【００２３】
図示例のトップス１は、いわゆるキャミソールであり、着用者が腕を通すアームホール２を上部に有するトップス本体３と、トップス本体３の内側に配され、着用者の胴体を包む筒状のインナー４と、アームホール２の下でトップス本体３の内側に配置された脇裏打ち布５と、を具備している。なお、本発明のトップスは、キャミソールに限られず、タンクトップウェアや、ポロシャツなどの袖付きのトップスであってもよい。
【００２４】
脇裏打ち布５の上部は、アームホール２の周部で該アームホール２の下側にあるアームホール下周部１２に取り付けられている。ただし、アームホール２の形状に応じて、脇裏打ち布５の縫い付け部分は、アームホール２の周部に沿って、下周部１２の前後の部分、あるいは、それらの上側の部分にも延長することができる。インナー４の上部は、脇裏打ち布５とトップス本体３との間に挿入されることが好ましい。また、インナー４の上部は、アームホール下周部１２との間に所定の縫い付け間隔Ｌ１をおいて、脇裏打ち布５に縫い付けられている。このように、実施形態のトップス１においては、インナー４がトップス本体３に脇裏打ち布５を介して間接的に支持されている。
【００２５】
なお、インナー４の上部は、脇裏打ち布５に縫い付け部１０により縫い付けるだけではなく、例えば脇裏打ち布５の縁どり５ａに沿って、インナー４の上部を脇裏打ち布５に縫い付けることができる（図４など参照）。これにより、インナー４の上部を脇裏打ち布５に十分な強度で縫い付けることができる。
【００２６】
縫い付け間隔Ｌ１は着用者の体の動きに追従するインナーの動きがトップス本体に及ぼす影響を、脇裏打ち布の介在により緩衝し得る間隔に設定される。脇裏打ち布５や、インナー４及びトップス本体３の素材にもよるが、目安として、縫い付け間隔Ｌ１は１．５〜４ｃｍに設定するのが好ましく、２〜３．５ｃｍに設定するのがより好ましい。
【００２７】
ここで、縫い付け間隔Ｌ１は、インナー４の上部を脇裏打ち布５に縫い付ける縫い付け部１０（例えばミシン目）に対応する第１曲線と、アームホール下周部１２の下縁１２ａに対応する第２曲線との距離を縫い付け部１０の中央、ないしは中央近傍で第１曲線の法線に沿って計ったときの間隔を基準に決めることができる。縫い付け部１０の端部はアームホール下周部１２に接していてもよいが、図３などに示すように、中央部と同じ程度にアームホール下周部１２から離れている方が、上記の緩衝効果がより顕著に得られるので好ましい。
【００２８】
以上により、インナー４が十分な体型補正機能を発揮するように着用者の胴体にフィットし、着用者の動きに追従する場合にも、その動きによる影響がトップス本体３に及ぶのを脇裏打ち布５の介在により緩衝することができる。したがって、トップス本体３に引き攣れなどが発生するのを防止することができる。また、着用者の動作が制約されるのを防止することができる。
【００２９】
（トップス本体）
トップス本体３の前側の部分（以下、本体前身頃３ａと称す）と、トップス本体３の後側の部分（以下、本体後身頃３ｂと称す）とは、天竺やフライスなどの薄手のニットから構成することができる。本体前身頃３ａと本体後身頃３ｂは、トップス本体３の両側の側部にある縫い目１３で縫い合わされている。トップス本体３の上部には、２つのアームホール２を形成するように両側に２本の肩紐１１が取り付けられている。２本の肩紐１１には長さの調節をするためのアジャスタ１１ａがそれぞれ設けられている。アームホール下周部１２は、２本の肩紐１１とそれぞれ連続するように配された紐状の布か厚めの布により形成される。
【００３０】
（インナー）
図５はインナーの正面図、図６はインナーの背面図、図７はインナーの側面図である。
インナー４は、インナー前身頃６とインナー後身頃７とから構成されている。インナー４には、ある程度以上のヤング率を有する伸縮性素材（例えば、パワーネット、サテンネット、ベア天竺、ツーウェイトリコット）を好適に使用することができる。
【００３１】
また、本実施形態のインナー４は、着用者の胴体の各部を外側から押さえることで体型を整える体型補正機能と、女性らしい体型を演出する演出機能とを有している。以下、これらの機能を総称してシェイパー機能という。
【００３２】
インナー４は上部で脇裏打ち布５に縫いつけられている。これにより、インナー４はトップス本体３に脇裏打ち布５を介して間接的に支持されている。インナー４の上部以外の部分は下端部４ａを含めて、トップス本体３には縫い付けられていない。これにより、インナー４の伸びが制約されず、トップス１の着脱が容易になる。
【００３３】
（インナー前身頃）
インナー前身頃６は、１枚の布から構成されており、上端部６ａは、着用者のバスト下にフィットするようにカーブしている。ブラジャーの下部にインナー前身頃６の上部を重ねることもでき、これによりブラジャーの段差を目立たなくすることもできる。以上により、１枚の布で構成されたインナー前身頃６により、着用者のバストを押さえることなくお腹のラインをフラットに整えることができる。したがって、女性らしい体型を演出することができる。
【００３４】
（インナー後身頃）
インナー後身頃７は、上布（以下、上身頃８と称す）と下布（以下、下身頃９と称す）の２枚の布から構成されている。上身頃８は背中からウエストへの傾斜に添わせて、背中全体にフィットするような形状に形成することが好ましい。具体的には、背中の傾斜に添わせた立体的なパターンを形成するように、上身頃８の上側の幅は広くし、下側の幅は狭くする。このとき、上身頃８と下身頃９との接ぎ目１４の近傍でダーツを取ってもよい。これにより、着用者の体に負担を掛けずに、インナー後身頃７を背中からウエストにかけてフィットさせることができ、インナー４のずれを抑制することができる。
【００３５】
また、インナー後身頃７の下端部が着用者のヒップの下に位置するように下身頃９を下方に延長し、ヒップラインを整えるようにすることもできる。下身頃９が上身頃８とは別の布であることから、ヒップの下の部分にまでフィットするような立体性をインナー後身頃７に付与することもできる。このとき、インナー後身頃７の下部はスカートやスラックスの内側に挿入し、トップス本体３はスラックスの外側に出す着こなしもできる。
【００３６】
一方、下身頃９は、インナー４がウエストにフィットするように、立体的な腰の形状に合わせたパターンに形成する。具体的には、上側の部分の幅を狭くし、且つインナー４がヒップを締め付けすぎないように下側の部分の幅を大きくする。以上の構成により、着用者の体に負担を掛けずに、安定した着用感を得ることができる。また、ウエストのくびれを強調することができ、女性らしい体型を演出することができる。
【００３７】
以上のように、インナー４を合計３枚の布で構成することで、無理なく女性のボディラインにフィットする立体性をインナー４に付与することができる。これにより、ウエストの引き締め効果と良好な着心地を実現し、且つ女性らしい体型を効果的に演出することができる。
【００３８】
また、上身頃８と下身頃９の接ぎ目１４をウエストと対応する位置に設定することで、接ぎ目１４の存在がトップス本体３の外側から認識され難いようにすることができる。また、インナー前身頃６とインナー後身頃７の接ぎ目７ａにダーツを設けることで、ウエストがより細く見えるように演出することもできる。
【００３９】
（脇裏打ち布）
脇裏打ち布５は、着用者の脇にフィットして発汗に対処できるように、吸湿性素材（例えば、綿混紡素材や吸水素材）を舌形状に形成して構成されている。脇裏打ち布５はフラシになっており、上端部だけでアームホール下周部１２に縫い付けられる。
【００４０】
脇裏打ち布５の上端部以外の部分には縁どり５ａを設けることができる。そして、脇裏打ち布５には、アームホール下周部１２から縫い付け間隔Ｌ１だけ離れた位置にある縫い付け部１０によりインナー４の上部を縫いつける。脇裏打ち布５の縁どり５ａをインナー４の上部に縫いつけることができる。また、脇裏打ち布５の上部は、アームホール２の周部で該アームホール２の下側にあるアームホール下周部１２に取り付けられている。ただし、脇裏打ち布５の縫い付け部分は、アームホール２の形状に応じて、アームホール２の周部に沿って、下周部１２の前後の部分、あるいは、それよりも上側の部分にも延長することができる。
【００４１】
脇裏打ち布５がトップス１の一番内側で両脇に配されるので、それが目安となり、着脱の際にトップス１の両側部を認識しやすい。したがって、トップス１の両側部を掴んで足入れすることが容易になる。また、両手で掴む部分が脇裏打ち布５により補強されることで、トップス１を引き上げることが容易になる。
以上により、トップス１の着脱が容易になる。
【００４２】
また、脇裏打ち布５がフラシになっているので、着用者の脇に脇裏打ち布５を適度にフィットさせることができる。これにより、良好な汗取り効果を得るとともに、快適な肌あたりを得ることができる。
以上により、良好な着心地を実現できる。
【産業上の利用可能性】
【００４３】
本発明に係るトップスは、着用者の動作を制約することなく、ウエストのくびれた女性らしい体型を効果的に演出することができる。また、ファッション性を損なうことなく脇下の汗に対処することができるので、アウターウェアとして好適に使用することができる。
【符号の説明】
【００４４】
１  トップス
２  アームホール
３  トップス本体
４  インナー
５  脇裏打ち布
６  インナー前身頃
７  インナー後身頃
８  上身頃（上布）
９  下身頃（下布）
１０  縫い付け部
１１  肩紐
１２  アームホール下周部
【要約】
【課題】キャミソールなどのトップスにおいて、インナーに十分な体型補正機能を発揮させることができ、且つ着用者の体の動きによりトップス本体に引き攣れなどが生じるのを防止することができるトップスを提供する。
【解決手段】着用者が腕を通すアームホールを上部に有するトップス本体と、前記トップス本体の内側に配され、前記着用者の胴体を包む筒状のインナーと、前記アームホールの下で前記トップス本体の内側に配置された脇裏打ち布とを具備し、前記脇裏打ち布の上部は、少なくともアームホール下周部に取り付けられ、前記インナーの上部は、前記アームホール下周部との間に所定の縫い付け間隔をおいて、前記脇裏打ち布に縫い付けられ、前記インナーが前記トップス本体に前記脇裏打ち布を介して間接的に支持されることを特徴とするトップスである。
【選択図】図１【図１】
0005709338.tif 000002
【図２】
0005709338.tif 000003
【図３】
0005709338.tif 000004
【図４】
0005709338.tif 000005
【図５】
0005709338.tif 000006
【図６】
0005709338.tif 000007
【図７】
0005709338.tif 000008